(57)【特許請求の範囲】
【請求項１】
先端部に送気用のシリンジ口が設けられた筒体と、
押部、軸部及び円板状ピストン部からなり、上記押部の通気孔から上記軸部の内部を通り先端部まで貫通する通気路が形成され、上記ピストン部の後端面は上記筒体の後端側開口を介して外気に通ずる構成とされ、上記筒体内を往復動するピストン体と、
このピストン体と上記筒体との間に配置され、押し操作した上記ピストン体を元の位置へ復帰させるバネと、を含み、
上記シリンジ口を内視鏡の送気ポート又は液体貯留タンクを介して内視鏡の送水ポートに管接続する内視鏡用自動復帰式シリンジ。
【発明の詳細な説明】
【技術分野】
【０００１】
本発明は内視鏡用自動復帰式シリンジ、特に内視鏡に配設された送気／送水管を利用して送気又は送水をするために用いられ、送気／送水装置として携帯できるシリンジの構成に関する。
【背景技術】
【０００２】
図５には、従来の内視鏡装置の構成が示されており、内視鏡（スコープ）は、例えば固体撮像素子を備えた先端部１Ａ、湾曲部を介して設けられた操作部１Ｂ等を有する。この内視鏡には、先端面に配置された観察窓を洗浄するために、送気／送水管３ａと、この送気／送水管３ａから分岐する送水管３ｂ及び送気管３ｃが配設され、操作部１Ｂに、送水管３ｂと送気管３ｃの切替えと送気／送水の操作をする送気／送水ボタン４ａが設けられる。
【０００３】
また、上記送水管３ｂには、洗浄水を入れた送水タンク６を介して、送気／送水用のポンプ８が接続され、送気管３ｃには、直接、送気／送水用のポンプ８が接続される。なお、この操作部１Ｂには、吸引ボタン４ｂ、カメラシャッタボタン４ｃが配置されると共に、内視鏡内に配設された処置具挿通チャンネルに処置具を導入するための鉗子口５等が設けられる。
【０００４】
このような内視鏡装置によれば、上記送気／送水ボタン４ａの送水操作（例えば２段目押し）をすると、送気管３ｃが閉じて送水管３ｂが開状態となり、送水タンク６内の洗浄水が先端面のノズルから観察窓へ向けて噴射され、送気操作（例えば１段目押し）をすると、送水管３ｂが閉じて送気管３ｃが開状態となり、ポンプ８からの送気が同様に行われる。このような送水と送気により、観察窓に付着した汚れ等を除去することで、被観察体の観察状態を良好に保つことができる。なお、上記説明は機械式バルブの例であるが、電気式ボタン（スイッチ）と開閉バルブを用いて送気送水を行うこともできる。
【特許文献１】特開２００３−１３５３９１号公報
【発明の開示】
【発明が解決しようとする課題】
【０００５】
しかしながら、従来の内視鏡装置において送気／送水を行う場合は、上述のように送気／送水用ポンプ（装置）８が必要となり、この送気／送水用ポンプ８を配置した施設以外の場所では、内視鏡を使用することが困難であるという問題があった。
【０００６】
内視鏡装置の携帯化は、設備の整った施設以外の各種場所での使用、ベッドサイドでの使用、緊急時の使用等を可能にし、また構成の簡易化は、コストの低減に繋がり、送気、送水に関する機器の携帯化、簡易化ができれば、利便性の高い内視鏡装置を提供できることになる。
【０００７】
また、一般に用いられるシリンジでは、手動でピストンを押し操作することで、送気又は送水のいずれかを１回行うことができるが、供給量の制限のない連続した送気又は送水を容易に行うことはできなかった。
【０００８】
本発明は上記問題点に鑑みてなされたものであり、その目的は、供給量に制限のない連続した送気又は送水を容易に行うことができ、内視鏡装置の携帯化、簡易化に繋がる送気／送水に関する機器の携帯化、簡易化を得ることが可能になる内視鏡用自動復帰式シリンジを提供することにある。
【課題を解決するための手段】
【０００９】
上記目的を達成するために、請求項１の発明に係る内視鏡用自動復帰式シリンジは、先端部に送気用のシリンジ口が設けられた筒体と、押部、軸部及び円板状ピストン部からなり、上記押部の通気孔から上記軸部の内部を通り先端部まで貫通する通気路が形成され、上記ピストン部の後端面は上記筒体の後端側開口を介して外気に通ずる構成とされ、上記筒体内を往復動するピストン体と、このピストン体と上記筒体との間に配置され、押し操作した上記ピストン体を元の位置へ復帰させるバネと、を含み、上記シリンジ口を内視鏡の送気ポート又は液体貯留タンクを介して内視鏡の送水ポートに管接続することを特徴とする。
【００１０】
本発明の構成によれば、親指等により通気孔を塞ぎながら押部を押し、ピストン体を往動させれば、シリンジ口から空気供給（送気）が行われ、その後に親指等を離すと、筒体内へ通気孔及び通気路を介して空気が流入しながら、バネによってピストン体は元の位置へ自動的に復帰（復動）する。従って、操作者は、押部を押して離すという動作を繰り返すことにより、連続した送気を行うことができる。
【００１１】
そして、内視鏡の送水管に接続された送水タンクに、連結チューブ等で上記自動復帰式シリンジのシリンジ口（送気口）を接続すれば、このシリンジ口から送水タンクに空気を送ることにより、送水タンクから内視鏡送水管を介して洗浄水等が供給され、観察窓の洗浄を行うことができる。また、内視鏡の送気管の送気ポートに、上記シリンジ口を接続すれば、このシリンジ口から内視鏡送気管を介して送気が行われることで、観察窓の乾燥を行うことができる。
【発明の効果】
【００１２】
本発明によれば、押し操作を繰り返すことで、内視鏡に対し供給量に制限のない連続した送気を容易に行うことができる。
また、内視鏡の送気／送水に関する機器の携帯化、簡易化、ひいては内視鏡装置の携帯化、簡易化が可能となり、設備の整った施設以外の各種場所、ベッドサイド、緊急時等における内視鏡の使用が容易となり、利便性の高い内視鏡装置が得られるという効果がある。
【発明を実施するための最良の形態】
【００１３】
図１には、実施例に係る自動復帰式シリンジの構成が示され、図２乃至図４には、実施例に係る内視鏡用自動復帰式シリンジの構成が示されている。まず、図１に示されるように、実施例のシリンジは、円筒状の筒体１１とピストン体（スライダー）１２を有してなり、この筒体１１には、その先端面にシリンジ口（注入口）１４が設けられる。
【００１４】
一方、ピストン体１２は、上記筒体１１の内面に密着しながら摺動（往復動）する所定厚さの円板状のピストン部（摺動部）１２ａ、このピストン部１２ａを支持し上記筒体１１の内径よりも小さい外径とされた円柱棒状の軸部１２ｂ、この軸部１２ｂの後側に配置され、親指等で押してピストン動作をするための円板状の押部１２ｃからなる。なお、上記軸部１２ｂは、ピストン部１２ａと同じ太さ（径）にしてもよい。
【００１５】
また、ピストン体１２において、上記押部１２ｃの中心部に通気孔ＶＡが形成されると共に、上記軸部１２ｂには、その径方向中心部に上記通気孔ＶＡから軸部先端部まで貫通する軸部通気路（管路）１６が形成される。更に、上記筒体１１の後側のフランジ部１１ａとピストン体１２の押部１２ｃとの間に（それぞれに係合する状態で）、押した押部１２ｃを元の位置へ戻す方向へ付勢するバネ（スプリング）１７が設けられる。なお、ピストン体１２はバネ１７の長さに相応した位置で停止するが、この停止動作を確実とし、安定して行われるようにするためのストッパ機構を、筒体１１と軸部１２ｂとの間に設けることができる。
【００１６】
このような自動復帰式シリンジによれば、図１（Ａ）の基本（不操作）状態から、通気孔ＶＡを塞ぎながら押部１２ｃを親指等で（バネ１７に抗して）押すと、シリンジ口１４から筒内の空気を排出して送気を行うことができる。また、図１（Ｂ）の状態から、押部１２ｃの押し操作を解除すると、通気孔ＶＡが開放されると共に、バネ１７によってピストン体１２が後側へ付勢されるので、外気が通気孔ＶＡから軸部通気路１６を通って筒体１１内へ供給充填され、ピストン体１２が図１（Ａ）の元の状態へ自動的に復帰する。従って、繰り返して押部１２ｃを押し操作することにより、連続して複数回の送気を行うことができる。
【００１７】
図２及び図３には、上記シリンジを内視鏡装置に適用し、送水を行うときの構成が示されており、この場合は、上記筒体１１のシリンジ口１４に、連結チューブ１９を介して液体（洗浄水等）を収納する液体貯留タンク２０が取り付けられる（連結チューブ１９は上部空気層に配置）。一方、内視鏡２２内に、送気／送水管２３が配設され、その操作部に送気／送水ポート２３Ｐが設けられており、この送気／送水ポート２３Ｐに、連結チューブ２４を介してタンク２０が接続される（この連結チューブ２４は液体内に配置）。なお、上記送気／送水管２３及びポート２３Ｐとして、従来の送気管又は送水管（３ｂ，３ｃ）及びこれらのポートを利用することができる。
【００１８】
このような内視鏡用自動復帰式シリンジによれば、図２の基本状態から、図３のように、通気孔ＶＡを塞ぎながら押部１２ｃを親指等で（バネ１７に抗して）押すと、筒体１１のシリンジ口１４から連結チューブ１９を介して送気が行われ、これによって、タンク２０内の洗浄水が連結チューブ２４、送気／送水ポート２３Ｐを介して送気／送水管２３へ供給される。この洗浄水は、送気／送水管２３から内視鏡先端面のノズルを介して観察窓へ噴射され、この観察窓の汚れ等を洗浄することができる。
【００１９】
また、図３の状態から、親指等を押部１２ｃから離し押し操作を解除すると、図２のように、通気孔ＶＡが開放されると共に、バネ１７によってピストン体１２が後側へ戻されるので、外側の空気が通気孔ＶＡから軸部通気路１６を介して筒体１１の内部へ流入し、基本位置へ自動的に復帰する。従って、押部１２ｃを繰返し押し操作すれば、連続して複数回の、そして量に制限のない送水を行うことが可能となる。
【００２０】
図４には、上記シリンジを内視鏡装置に適用し、送気を行うときの構成が示されており、この場合は、上記筒体１１のシリンジ口１４を、内視鏡（操作部）２２に設けられた送気／送水ポート２６Ｐに接続される。このような送気の接続構成によれば、上記送水の場合と同様に、図４の基本状態から、通気孔ＶＡを塞ぎながら押部１２ｃを親指等で押すことにより、シリンジ口１４から送気／送水ポート２６Ｐ、送気／送水管２３を介して送気が行われ、この結果、ノズルから観察窓へ空気が噴射され、観察窓の水分等を除去することができる。
【図面の簡単な説明】
【００２１】
【図１】本発明の実施例に係る自動復帰式シリンジの構成を示し、図（Ａ）は不操作時の断面図、図（Ｂ）は押し操作時の断面図である。
【図２】実施例の内視鏡で自動復帰式シリンジを用いて送水する場合の不操作時の構成を示す断面図である。
【図３】実施例の内視鏡で自動復帰式シリンジを用いて送水する場合の操作時の断面図である。
【図４】実施例の内視鏡で自動復帰式シリンジを用いて送気する場合の不操作時の断面図である。
【図５】従来の内視鏡装置の構成を示す図である。
【符号の説明】
【００２２】
１１…筒体、              １２…ピストン体、
１２ａ…ピストン部（摺動部）、  １２ｂ…軸部、
１２ｃ…押部、            １４…シリンジ（注入）口、
１６…軸部通気路、        １７…バネ、
１９，２４…連結チューブ、２０…流体貯留タンク、
２３…送気／送水管、      ２３Ｐ，２６Ｐ…送気／送水ポート、
ＶＡ…通気孔。
【図１】
0005097931.tif 000002
【図２】
0005097931.tif 000003
【図３】
0005097931.tif 000004
【図４】
0005097931.tif 000005
【図５】
0005097931.tif 000006